(57)【要約】【課題】予備苗Ａの予備苗載台３４への供給作業を従来と何ら変わることなく円滑に行うことができるようにすると共に、根張りの良い予備苗Ａであっても予備苗載台３４のホルダ３９に載置した苗箱ＢからスクレーパＳを用いて確実に掬い取ることができる乗用型田植機を提供する。【解決手段】予備苗載台３４は、機体４から立設したフレーム３５と、フレーム３５の上下複数段に固設したステー３８と、ステー３８に装着したホルダ３９を備え、ホルダ３９に載置した苗箱Ｂは、ステー３８又はフレーム３５、或いはホルダ３９に着脱自在、又は作用状態と非作用状態に切替え自在に装着した滑り止めストッパ４４により、ホルダ３９からの落下が防止されるように構成する。【選択図】図３
2015050956.tif 000002
【特許請求の範囲】
【請求項１】
機体の後部に苗載台を備える植付装置を昇降自在に連結すると共に、機体の前部寄りに予備苗を収容した苗箱を載置する予備苗載台を備え、前記予備苗載台に載置した苗箱から予備苗をスクレーパによって掬い取り、前記苗載台に苗補給する乗用型田植機において、前記予備苗載台は、機体から立設したフレームと、フレームの上下複数段に固設したステーと、ステーに装着したホルダを備え、前記ホルダに載置した苗箱は、ステー又はフレーム、或いはホルダに着脱自在、又は作用状態と非作用状態に切替え自在に装着した滑り止めストッパにより、ホルダからの落下が防止されるように構成してあることを特徴とする乗用型田植機。
【請求項２】
前記滑り止めストッパは、苗箱から予備苗をスクレーパによって掬い上げる際に邪魔にならないように機体前部寄りの苗箱の側縁部のみを受け止めるように構成してあることを特徴とする請求項１に記載の乗用型田植機。
【請求項３】
前記滑り止めストッパは、ロール状に巻いた予備苗をホルダに載置する場合には、予備苗を直接、受け止めて落下が防止されるように、受け止め高さを変更自在に構成してあることを特徴とする請求項１又は２に記載の乗用型田植機。
【請求項４】
前記滑り止めストッパは、予備苗をスクレーパによって掬い取って空となった苗箱の落下が防止されるように、苗箱の受け止め箇所を上面に変更自在に構成してあることを特徴とする請求項１乃至３に記載の乗用型田植機。
【請求項５】
前記滑り止めストッパは、ステーの先端部に着脱自在に装着し、同じくステーの先端側に嵌合して装着するホルダの端面を受け止めて、ホルダのステーからの抜け止めを行うように構成してあることを特徴とする請求項１乃至４に記載の乗用型田植機。
【発明の詳細な説明】
【技術分野】
【０００１】
本発明は、機体の前部寄りに予備苗載台を設ける乗用型田植機に関する。
【背景技術】
【０００２】
乗用型田植機においては、機体の前部寄りの側部に予備苗（マット苗）を収容した苗箱を載置する予備苗載台を設けることが一般的に知られている（例えば、特許文献１参照。）。このような予備苗載台を設ける乗用型田植機では、植付け作業中に苗載台の苗が少なくなった場合に予備苗載台に載置した苗箱からスクレーパ（苗すくい板）を用いて予備苗を掬い取って苗載台に苗補給することができるため、植付け作業の効率を高めることができるだけでなく、機体の前部寄りに予備苗載台を設けることにより畦から予備苗載台への予備苗供給作業が容易になる。
【０００３】
前記予備苗載台は、通常、苗箱を載置する樹脂製のホルダを備え、このホルダの前端部、後端部、或いは左右側端部に苗箱の載置面より立ち上がる壁を一体的に成型することにより、苗箱の予備苗載台からのずり落ちを防止するようにしている。また、歩行型田植機においては、予備苗の位置ずれや浮き上がりを防止しながら、機体後方側から予備苗が入った苗箱を予備苗載台に供給したり苗箱を取り出したりするために、予備苗載台の苗載置面の前後及び両横側に苗箱の位置ずれを抑制する滑り止めストッパを設けると共に、苗載置面の前側に苗箱の浮き上がりを抑制をする浮き止めストッパを設けることが知られている（例えば、特許文献２参照。）。
【先行技術文献】
【特許文献】
【０００４】
【特許文献１】特開２００９−２４７２９８号公報
【特許文献２】特開２００６−８１５５２号公報
【発明の概要】
【発明が解決しようとする課題】
【０００５】
ところで、乗用型田植機においては、前述のとおり機体の前部寄りに予備苗載台を設け、畦から直接、又は機体の前部に移動した作業者によって予備苗を収容した苗箱を機体前方側から予備苗載台のホルダに供給している。しかし、ホルダに苗箱を載置する際にホルダの特に前端部に設ける滑り止め用の壁を高くすると苗箱を高く持ち上げなければならないと共に、苗箱の底面が壁に引っ掛かり易く、円滑な予備苗の供給作業を妨げる。
【０００６】
また、特許文献２に記載されているように苗箱の浮き上がりを抑制する浮き止めストッパをホルダの前方側に設ける場合は、苗箱をストッパを越えた後方側から前方側に差し込んで供給しなければならないので、予備苗の供給作業を前方側から行うことが困難となり、乗用型田植機にあっては実質的に採用することができない。さらに、苗箱から予備苗をスクレーパを用いて掬い上げる場合、浮き止めストッパが邪魔になって予備苗を掬い上げることができないため、ホルダから一旦苗箱を持ち上げた後に予備苗を取り出すことになって、苗載台への苗補給時間にロスを生ずる。
【０００７】
そして、特許文献１に記載されている乗用型田植機において、苗箱から予備苗をスクレーパを用いて掬い上げる場合には、苗箱を載置したホルダの機体後方側から予備苗の後端寄りを持ち上げて予備苗の根部と苗箱底面との間にスクレーパを差し込み、そのままスクレーパを前方側に押し込むことによって予備苗を根切りしながら苗箱から引き剥がすことになる。しかし、根張りが良い苗だとスクレーパの押し込む力を強くしなければならず、この押し込み力によって苗箱がホルダの前壁を越えて予備苗ごとホルダから落下してしまう場合があり、この場合、落下した苗箱の回収に時間を浪費したり、予備苗が損傷する等の問題があった。
【０００８】
そこで、本発明は、上記のような問題に鑑み、予備苗の予備苗載台への供給作業を従来と何ら変わることなく円滑に行うことができるようにすると共に、根張りの良い予備苗であっても予備苗載台のホルダに載置した苗箱からスクレーパを用いて確実に掬い取ることができる乗用型田植機を提供することを課題とする。
【課題を解決するための手段】
【０００９】
本発明は、上記課題を解決するため第１に、機体の後部に苗載台を備える植付装置を昇降自在に連結すると共に、機体の前部寄りに予備苗を収容した苗箱を載置する予備苗載台を備え、前記予備苗載台に載置した苗箱から予備苗をスクレーパによって掬い取り、前記苗載台に苗補給する乗用型田植機において、前記予備苗載台は、機体から立設したフレームと、フレームの上下複数段に固設したステーと、ステーに装着したホルダを備え、前記ホルダに載置した苗箱は、ステー又はフレーム、或いはホルダに着脱自在、又は作用状態と非作用状態に切替え自在に装着した滑り止めストッパにより、ホルダからの落下が防止されるように構成してあることを特徴とする。
【００１０】
また、本発明は、第２に、前記滑り止めストッパは、苗箱から予備苗をスクレーパによって掬い上げる際に邪魔にならないように機体前部寄りの苗箱の側縁部のみを受け止めるように構成してあることを特徴とする。さらに、本発明は、第３に、前記滑り止めストッパは、ロール状に巻いた予備苗をホルダに載置する場合には、予備苗を直接、受け止めて落下が防止されるように、受け止め高さを変更自在に構成してあることを特徴とする。
【００１１】
そして、本発明は、第４に、前記滑り止めストッパは、予備苗をスクレーパによって掬い取って空となった苗箱の落下が防止されるように、苗箱の受け止め箇所を上面に変更自在に構成してあることを特徴とする。また、本発明は、第５に、前記滑り止めストッパは、ステーの先端部に着脱自在に装着し、同じくステーの先端側に嵌合して装着するホルダの端面を受け止めて、ホルダのステーからの抜け止めを行うように構成してあることを特徴とする。
【発明の効果】
【００１２】
本発明の乗用型田植機によれば、予備苗載台のホルダに載置した苗箱を、ステー又はフレーム、或いはホルダに着脱自在、又は作用状態と非作用状態に切替え自在に装着した滑り止めストッパによって滑り止めして、予備苗載台のホルダからの落下を防止することができる。従って、根張りの良い予備苗であっても予備苗載台のホルダに載置した苗箱からスクレーパを用いて確実に掬い取ることができ、ホルダから落下した苗箱の回収に時間を浪費したり、無駄に予備苗を損傷させて使い物にならなくするといった不具合を解消することができる。
【００１３】
なお、ステー又はフレーム、或いはホルダから滑り止めストッパを取り外す、又は滑り止めストッパを作用状態から非作用状態に切替えることにより、予備苗載台は通常の予備苗載台と何ら変わりなく使用することができる。従って、滑り止めストッパに何ら邪魔されることなく機体の前方側から労力少なく、予備苗を予備苗載台に円滑に供給することができる。さらに、この場合は、特に根張りの良い苗でない限りホルダに形成した既存の滑り止め壁によって苗箱のホルダからの落下を十分に防止することができるから、前述の苗箱の回収、或いは予備苗の損傷も発生することがない。
【００１４】
また、前記滑り止めストッパを、苗箱から予備苗をスクレーパによって掬い上げる際に邪魔にならないように機体前部寄りの苗箱の側縁部のみを受け止めるように構成すると、機体の前方側から予備苗を予備苗載台に通常より多少高く持ち上げるだけで供給することができる。しかも、予備苗載台のホルダに載置した苗箱からスクレーパを用いて予備苗を掬い上げる際に、従来の苗箱の浮き上がりを抑制するストッパを設けるもののように、予備苗中にストッパが分け入っているため、ストッパが予備苗の上方を塞いでしまい、これを直接、掬い上げることができず、予備苗の苗載台への補給作業に時間がかかるといった不具合もなく、円滑に苗載台への苗補給を行うことができる。
【００１５】
さらに、予備苗載台に対する予備苗の載置形態の一つとして、予め苗箱から掬い取った予備苗をロール状に巻いて持ち易くすると共に、これを直接、予備苗載台のホルダに単体として、或いは複数並べて載置しておき、苗載台への苗補給時にはホルダから取り出した予備苗をスクレーパを用いず、そのまま供給する場合がある。しかし、予備苗載台のホルダの滑り止め壁は、苗箱の滑り止めを想定した高さしかないため、植付け作業中における機体のピッチング、或いは機体振動によって、そのままではホルダから予備苗が落下する虞がある。
【００１６】
そこで、前記滑り止めストッパの受け止め高さを高く変更して、ロール状に巻いた予備苗を滑り止めストッパによって直接、受け止めるように構成すると、予備苗のホルダからの落下を防止することができる。なお、滑り止めストッパをホルダの前方寄りに設ける場合は、予備苗がストッパの作用しないホルダの後方側から落下することが想定されるが、ホルダに載置する予備苗の向きを予備苗の巻き方向に基づいて、例えば、滑り止めストッパが存在する前方側に予備苗の巻回が解ける向きに載置することによって、後方側からの落下を少なくするすることができる。
【００１７】
また、予備苗をスクレーパによって掬い取って苗載台に苗補給を行った場合、ホルダ上に残された空の苗箱は軽くなって、機体のピッチングや走行振動によってホルダから落下する虞がある。そのため、特許文献１では空箱の押さえ体を専用に設けているためコストアップを招いていた。そこで、本発明では、前記滑り止めストッパの苗箱の受け止め箇所を機体前部寄りの側縁部から上面に変更することによって、コストアップを抑制しながら滑り止めストッパを空箱の押さえ体に兼用することができる。
【００１８】
そして、前記滑り止めストッパを、予備苗載台のステーの先端部に着脱自在に装着し、同じくステーの先端側に嵌合して装着するホルダの端面を滑り止めストッパによって受け止めさせると、滑り止めストッパを装着するための専用のブラケットが不要となり、ホルダのステーからの抜け止めを行うゴムキャップ等の止め具に代えて簡単に滑り止めストッパをステーに取り付けることができる。また、滑り止めストッパがホルダの抜け止め具となるので、別にホルダの抜け止めを行う必要がない。
【図面の簡単な説明】
【００１９】
【図１】乗用型田植機の側面図である。
【図２】乗用型田植機の平面図である。
【図３】左側の予備苗載台の斜め前方側からみた斜視図である。
【図４】（ａ）は左側の予備苗載台の滑り止めストッパの取付け状態を示す斜め前方側からみた斜視図、（ｂ）は平面図、（ｃ）は側面図である。
【図５】滑り止めストッパの使用状態を示す側面図であり、（ａ）は苗箱の落下を防止する状態、（ｂ）はロール状に巻いた予備苗の落下を防止する状態、（ｃ）は空箱の落下を防止する状態を示すものである。
【図６】（ａ）は左側の予備苗載台の滑り止めストッパの別実施形態の取付け状態を示す斜め前方側からみた斜視図、（ｂ）は平面図、（ｃ）は側面図である。
【発明を実施するための形態】
【００２０】
本発明の実施形態を図面に基づいて説明する。図１及び図２に示すように乗用型田植機１は、前輪２と後輪３を備えた機体４の後部にリンク機構５を介して植付装置６を昇降自在に連結して構成している。前記機体４は、エンジンフレーム７、シャシフレーム８、トランスミッションケース９、フロントアクスルケース（不図示）、リヤアクスルケース１０等を一体的に連結して構成され、機体４の前部に設けるエンジンフレーム７は、トランスミッションケース９の前部寄りに取り付けられて、図示しないエンジンを防振ゴムを介してマウントしている。
【００２１】
また、エンジンフレーム７の前部にはバンパ１１が取り付けられていると共に、エンジンを囲むように後上方に向けて左右のパイプフレーム（不図示）が延出されている。そして、パイプフレームの後端は、トランスミッションケース９に取り付けたトルクジェネレータ（パワーステアリング）から立ち上がるステアリングコラム（不図示）の中途に取り付けられ、このパイプフレームには、燃料タンクや計器盤を備えるパネルカバー１２が取り付けられる。なお、エンジンや燃料タンクは、ボンネット１３、パネルカバー１２、及び後方側に設けるパネルリヤカバー１４によって覆っていると共に、パネルカバー１２の上方に基部をコラムカバー１５によって覆ったステアリングハンドル１６を設けている。
【００２２】
さらに、エンジンフレーム７の後方に位置するシャシフレーム８には、トランスミッションケース９、フロントアクスルケース、リヤアクスルケース１０、バッテリ（不図示）、及び運転席１７等が取り付けられ、前記したエンジンの動力は、プーリ及びベルトによりトランスミッションケース９に取り付けられた図示しない静油圧式無段変速装置（ＨＳＴ）と油圧ポンプに伝達される。また、静油圧式無段変速装置により変速された動力は、トランスミッションケース９に内装した主クラッチ機構及び副変速機構を経て、フロントアクスルとリヤアクスル１０に伝達され、最終的に前輪２と後輪３が駆動される。さらに、上記主クラッチ機構に伝達された動力はトランスミッションケース９に内装した株間変速機構にも分配され、株間変速機構から植付ＰＴＯシャフト（不図示）及びプロペラシャフト１８等を介して植付装置６に伝達される。
【００２３】
また、エンジンフレーム７及びシャシフレーム８上には、作業者が機体上を移動する際の床面となる複数のステップ１９，２０，２１，２２が取り付けられている。これらのステップは、機体４前端からパネルリヤカバー１４の後端に亘ってエンジンの左右側方に設けられたフロントステップ１９，１９と、運転席１７前方の床面を形成するフロアステップ２０と、フロアステップ２０の側方に配設された左右のサイドステップ２１，２１と、運転席１７の左右側方に位置してフロアステップ２０よりも一段高く形成されたリヤサイドステップ２２，２２と、から構成され、各ステップには適宜、ステップマット２３が敷設されている。
【００２４】
一方、植付装置６は５条植えとなっており、前高後低状に傾斜して複数のマット苗を載置する苗載台２４、苗載台２４の下端から１株分づつ苗を植付爪（ビーク）２５により掻き取って植え付けるロータリ植付機構２６、走行跡や旋回跡を整地しながら植え付け箇所を均すフロート２７等を備えて構成される。より詳細には、前記エンジンからの動力はトランスミッションケース９を経て、植付ＰＴＯシャフト及びプロペラシャフト１８等を介して植付装置６のドライブケース２８に入り、苗載台２４を左右往復スライド駆動すると共に、苗載台２４の縦送りベルト２９を回転駆動してマット苗を下方に間欠的に縦送りする。また、ドライブケース２８からロータリ植付機構２６を構成するプランタケース３０を経て、ロータリケース３１が回転駆動され、ロータリケース３１に取り付けたプランタアーム３２に装着した植付爪２５が苗載台２４の下端から１株分づつ苗を掻き取ると共に、掻き取った苗をフォーク３３で押し出して苗を圃場に植え付けるものである。
【００２５】
さらに、機体４の前部寄りの左右両側部には、予備苗Ａ（マット苗）を収容した苗箱Ｂを片側６枚、左右合わせて１２枚載置可能な予備苗載台３４が設けられている。この予備苗載台３４は、図３及び図４に示すように、下端部をバンパ１１とシャシフレーム８に連結してエンジンの側方に立設する前パイプ３５ａと後パイプ３５ｂとで構成する逆Ｕ字状のフレーム３５と、後パイプ３５ｂに溶接したピン３５ｃ，３５ｃ・・に止めボルト３６と緩み止めナット３７を用いて、そのボス３８ａを固定した上下複数段のステー３８，３８・・と、ステー３８のＵ字状バー（丸棒）３８ｂ，３８ｃに、その下面に設けたボス部３９ａ，３９ａ・・を嵌合させて前後に位置決めすると共に、Ｕ字状バー３８ｂ，３８ｃの先端部に装着したゴムキャップ４０等の止め具で抜け止めしたホルダ３９とで構成され、ホルダ３９は後パイプ３５ｂの外側に４枚、内側に２枚装着される。
【００２６】
また、前記ホルダ３９は合成樹脂によって一体成型され、ホルダ３９の苗箱Ｂを載せる載置面３９ｂの周囲には、前外壁３９ｃと後外壁３９ｄと内側壁３９ｅを立ち上がらせている。このうち前外壁３９ｃと後外壁３９ｄは、矩形状になした苗箱Ｂの脚部ｋの前端と側端、及び後端と側端とが交差するコーナー部を受け止め、また、内側壁３９ｅは苗箱Ｂの脚部ｋの他側の側端を受け止め、全体として苗箱Ｂのホルダ３９からの落下を防止する。なお、左右の予備苗載台３４は、後パイプ３５ｂ，３５ｂの上部に止めボルト４１によって固定する横パイプ４２を介して相互に連結されると共に、各予備苗載台３４には、スクレーパ（苗すくい板）Ｓを収納しておくホルダ４３が設けられている。因みにスクレーパＳは、長手方向の一側に把持部ｈを備えた合成樹脂、又は鉄板で形成される矩形状の平板で構成され、苗箱Ｂから予備苗を掬い取って持ち運ぶために用いられるものである。
【００２７】
次に、本発明に係る苗箱Ｂのホルダ３９からの落下を防止する滑り止めストッパ４４について説明する。前述のようにホルダ３９は、通常、ステー３８のＵ字状バー３８ｂ，３８ｃ先端部に装着するゴムキャップ４０，４０で抜け止めされる。しかし、滑り止めストッパ４４を予備苗載台３４に装着する際には、機体前部寄りに設けるゴムキャップ４０を取り外して、滑り止めストッパ４４をゴムキャップ４０の換わりにＵ字状バー３８ｂの先端部に装着する。より具体的には、滑り止めストッパ４４は、丸棒又はパイプの基部側を折曲してＬ字状になした基部にボス４４ａを備え、このボス４４ａをＵ字状バー３８ｂの先端部に挿入した後、止めボルト４５を用いて固定する。また、ボス４４ａを取り付け固定することによってホルダ３９の端面は、ボス４４ａにより受け止められてステー３８から抜け止めされる。
【００２８】
これにより、滑り止めストッパ４４は、苗箱Ｂの滑り止め作用をなす先端側の作用部４４ｂがホルダ３９の前外壁３９ｃの先端部上方から他側の内側壁３９ｅの先端近くまで水平に延出して、苗箱Ｂの前部側の側縁部ａを略全幅に亘って受け止めることになる（作用状態）。また、滑り止めストッパ４４が要らない場合は、前述と逆の手順によって滑り止めストッパ４４を取り外すことができる。或いは、滑り止めストッパ４４を一旦、取り外した後、作用部４４ｂがホルダ３９の下面に臨むように付け替えることにより、滑り止めストッパ４４をホルダ３９の上面から退避させることができる（非作用状態：図５（ａ）Ｃ姿勢参照）。
【００２９】
そして、以上のように構成する本発明の実施形態において、植付け作業を開始する際、或いは苗補給する際には、苗箱ＢからスクレーパＳで掬い取ったマット苗ＡをスクレーパＳに載せたまま、作業者が機体４のステップ１９，２０，２１，２２上を移動して苗載台２４に苗補給を行い、また、畦から直接、又は機体４の前部に移動した作業者によって予備苗Ａを収容した苗箱Ｂを機体前方側から予備苗載台３４のホルダ３９に載置して植付け作業を開始、又は再開する。そして、植付け作業中に苗載台２４の苗が少なくなると、作業を中断して予備苗Ａを苗載台２４に補給することになる。また、その場合は、予備苗載台３４のホルダ３９に載置した苗箱ＢにスクレーパＳを差し込んで予備苗Ａを掬い取り、同様にステップ上を移動して苗載台２４に苗補給する。
【００３０】
ところで、苗箱Ｂに床土を入れて育苗したマット苗Ａは、床土中で根絡みして型崩れが生じ難くなり、その取扱いが容易になる利点があるが、苗箱Ｂの底面に設けた排水孔から根が張り出すため、スクレーパＳでマット苗Ａを掬い上げる際に根切りしなければならないという欠点もある。そして、根張りが良い苗の場合には、根切りするための力が相当必要となり、この根切り作業を予備苗載台３４のホルダ３９に苗箱Ｂを載置したままスクレーパＳで行うと、苗箱Ｂがホルダ３９の前外壁３９ｃを越えて予備苗Ａごとホルダ３９から落下してしまう虞がある。そこで、このような場合には、滑り止めストッパ４４を予備苗載台３４に予め装着することになる。
【００３１】
この場合、滑り止めストッパ４４は、図５（ａ）に示すように作用部４４ｂが苗箱Ｂの前部側の側縁部ａ、特にその前面を受け止めるように固定し、これにより作用部４４ｂはスクレーパＳを介して機体前方側に強く押された苗箱Ｂを受け止めて、苗箱Ｂのホルダ３９からの落下を防止することができる。また、作用部４４ｂは苗箱Ｂに収容されたマット苗Ａ上には臨んでいないので、根切りしたマット苗ＡをスクレーパＳでそのまま上方に掬い上げて運搬することができ、予備苗Ａの苗載台２４への補給作業を円滑に行うことができる。
【００３２】
しかも、滑り止めストッパ４４は、丸棒又はパイプで形成した作用部４４ｂがホルダ３９の前外壁３９ｃの先端部上方から他側の内側壁３９ｅの先端近くまで水平に延出しているから、予備苗Ａを収容した苗箱Ｂを機体前方側から予備苗載台３４のホルダ３９に載置する場合に、苗箱Ｂを作用部４４ｂに載せて作用部４４ｂ上をスライドさせながらホルダ３９に押し込むことにより、苗箱Ｂがホルダ３９の前外壁３９ｃに引っ掛かることもなく円滑に、また、労力少なく苗箱Ｂをホルダ３９に迅速に載置することができる。なお、苗箱Ｂを滑り止めストッパ４４に載せてスライドさせながらホルダ３９に載置するためには、滑り止めストッパ４４を設けないものより多少高く苗箱Ｂを持ち上げなければならないが、滑り止めストッパ４４の作用部４４ｂは、苗箱Ｂの側縁部ａの高さ程度の直径しかないので、特に労力を余分に必要とするわけではなく、全体としてみた場合には、前述した利点が勝るものである。
【００３３】
さらに、滑り止めストッパ４４は、ステー３８に止めボルト４５を用いて固定しており、この固定角度を変更することによって作用部４４ｂの高さを調節することができる。即ち、図５（ｂ）に示すように、予め苗箱Ｂから掬い取って葉側を内側に根側を外側にロール状に巻いた予備苗Ａをホルダ３９にそのまま載置する場合には、作用部４４ｂの高さを高くして予備苗Ａを直接、滑り止めストッパ４４で受け止めるようにすると、予備苗Ａのホルダ３９からの落下を防止することができる。なお、その場合、滑り止めストッパ４４が存在する前方側に予備苗Ａの巻回が解ける向きに予備苗Ａを載置することによって、ホルダ３９の後方側からの予備苗Ａの落下を少なくすることができる。
【００３４】
また、図５（ｃ）に示すように、滑り止めストッパ４４の固定角度を変更して、滑り止めストッパ４４の苗箱Ｂの受け止め箇所を前部側の側縁部ａの前面から苗箱Ｂの側縁部ａの上面に変更することによって、滑り止めストッパ４４を例えば、苗箱Ｂ（空箱）を１段乃至３段積層した際の押さえ体として機能させることができ、機体４のピッチングや走行振動によってホルダ３９から落下する虞がある空箱Ｂの上下動を滑り止めストッパ４４で抑制して、ホルダ３９からの落下を防止することができる。
【００３５】
次に、苗箱Ｂのホルダ３９からの落下を防止する滑り止めストッパ４４の別実施形態について説明する。図６に示すように別実施形態の滑り止めストッパ４４は、ステー３８にその両端が止めボルト４５を用いて固定される。即ち、滑り止めストッパ４４は、丸棒又はパイプの両端がそれぞれＬ字状に折曲されて、それぞれの基部にボス４４ａ，４４ａを備える。そして、一側のボス４４ａはこれまでと同様にＵ字状バー３８ｂの先端部に挿入した後、止めボルト４５を用いて固定するが、他側のボス４４ａはＵ字状バー３８ｂの基部側に別途、設けたピン（不図示）に挿入した後、止めボルト４５を用いて固定する。従って、別実施形態の滑り止めストッパ４４は、ステー３８に両端が固定されるため作用部４４ｂが苗箱Ｂの押圧力によって折れ曲がることなく、確実に苗箱Ｂを受け止めることができる。
【００３６】
なお、この場合、滑り止めストッパ４４の両ボス４４ａ，４４ａをＵ字状バー３８ｂの先端と基部側のピンに共に挿入する必要があるから、Ｕ字状バー３８ｂの基部側の形状を変更し、例えば滑り止めストッパ４４の他側のボス４４ａをピンに深く挿入した状態で、一側のボス４４ａをＵ字状バー３８ｂの先端に臨ませ、更に滑り止めストッパ４４をピン側に戻して取り付けるようにする。また、何れの実施形態でも滑り止めストッパ４４をステー３８に着脱自在に取付け固定できるように構成したが、例えば、予備苗載台３４のフレーム３５、或いはホルダ３９に滑り止めストッパ４４を取り付けて、苗箱Ｂを受け止めることができるように変更することも適宜、行うことができるものであって、本発明は、前記実施形態に限定されるものではない。
【符号の説明】
【００３７】
１      乗用型田植機
４      機体
６      植付装置
２４    苗載台
３４    予備苗載台
３５    フレーム
３８    ステー
３９    ホルダ
４４    滑り止めストッパ
【図１】
2015050956.tif 000003
【図２】
2015050956.tif 000004
【図３】
2015050956.tif 000005
【図４】
2015050956.tif 000006
【図５】
2015050956.tif 000007
【図６】
2015050956.tif 000008